【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
１つまたは複数の移動局にサービスするための基地局を含む無線符号分割多重アクセス（ＣＤＭＡ）スペクトラム拡散通信ネットワークにおいて、前記移動局を制御するため方法であって、
１つの移動局から前記基地局に、アップリンクチャネルへのアクセスのためのデータチャネル初期化要求を送信するステップと、
前記１つの移動局でチャネル要求許可メッセージを受信するステップであって、前記チャネル要求許可メッセージは、開始時間および送信の長さを指定する制御情報を含むステップと、
前記指定された開始時間後に、前記１つの移動局で、前記要求されたアクセスに関する制御シグナリングを受信するステップと、
前記アップリンクチャネルを介して前記１つの移動局から、前記制御シグナリングの最初の受信後のある時に開始する前記指定された送信の長さのパケットデータを送信するステップとを含むことを特徴とする方法。
【請求項２】
前記制御シグナリングを受信した後、かつ前記アップリンクチャネルを介した前記パケットデータの前記送信を開始する前に、前記１つの移動局から前記パケットデータに関する形式情報を送信することをさらに含むことを特徴とする請求項１に記載の方法。
【請求項３】
前記アップリンクチャネルは物理専用チャネルを含むことを特徴とする請求項２に記載の方法。
【請求項４】
前記形式情報の前記送信はアップリンクパケット制御チャネルを使用することを特徴とする請求項３に記載の方法。
【請求項５】
前記チャネル要求許可メッセージはダウンリンク下りアクセスチャネルを介して受信され、
前記要求されたアクセスに関する前記制御シグナリングは、ダウンリンクパケット共有制御チャネルを介して受信されることを特徴とする請求項３に記載の方法。
【請求項６】
１つまたは複数の移動局にサービスするための基地局を含む無線符号分割多重アクセス（ＣＤＭＡ）スペクトラム拡散通信ネットワークにおいて、前記基地局を制御する方法であって、
前記基地局で、１つの移動局から、アップリンクチャネルへのアクセスのためのデータチャネル初期化要求を受信するステップと、
前記移動局に前記アップリンクチャネルへの前記要求されたアクセスを許可するかどうか判断するステップと、
前記移動局に前記アップリンクチャネルへの前記要求されたアクセスを許可すると判断される場合、前記１つの移動局のためのチャネル要求許可メッセージを送信するステップであって、前記チャネル要求許可メッセージは、送信開始時間および送信の長さを指定する制御情報を含むステップと、
前記指定された開始時間に、前記１つの移動局のために前記要求されたアクセスに関する制御シグナリングの送信を開始するステップと、
前記アップリンクチャネルを介して前記１つの移動局から、前記指定された送信の長さのパケット送信データを受信するステップとを含むことを特徴とする方法。
【請求項７】
前記チャネル要求許可メッセージ内の前記制御情報はさらに、前記１つの移動局による前記アップリンク物理専用チャネル上での前記送信に関するハイブリッドＡＲＱ（自動再送要求）情報、アップリンク変調方式を識別するデータ、およびアップリンクチャネライゼーションコードのうちの少なくとも１つを含むことを特徴とする請求項６に記載の方法。
【請求項８】
前記１つの移動局のための前記要求されたアクセスに関する前記制御シグナリングは、前記１つの移動局による前記アップリンクチャネル上での前記送信に関するハイブリッドＡＲＱ（自動再送要求）情報、アップリンク変調方式を識別するデータ、およびアップリンクチャネライゼーションコードのうちの少なくとも１つを含むことを特徴とする請求項６に記載の方法。
【請求項９】
前記チャネル要求許可メッセージの前記送信は、ダウンリンク下りアクセスチャネルを使用し、
前記許可されたアクセスに関する前記制御シグナリングの送信は、ダウンリンクパケット共有チャネルを使用することを特徴とする請求項６に記載の方法。
【請求項１０】
前記指定された長さの前記送信の受信後に前記アップリンクチャネルを介した前記パケットデータの前記受信が中止されるときに、前記アップリンク物理専用チャネルに関する少なくとも１つのリソースを解放することをさらに含むことを特徴とする請求項６に記載の方法。
【請求項１１】
前記アップリンクチャネルは物理専用チャネルであることを特徴とする請求項６に記載の方法。
【請求項１２】
前記アップリンクチャネルは共通パケットチャネルであることを特徴とする請求項６に記載の方法。
【請求項１３】
ＢＳスペクトラム拡散送信機およびＢＳスペクトラム拡散受信機を含む基地局（ＢＳ）と、ＭＳスペクトラム拡散送信機およびＭＳスペクトラム拡散受信機を含む少なくとも１つの移動局（ＭＳ）とを含む、スペクトラム拡散変調を使用する符号分割多重アクセス（ＣＤＭＡ）システムにおいて、
前記１つの移動局の前記ＭＳスペクトラム拡散送信機からアップリンクチャネルの使用要求を表すスペクトラム拡散信号を送信するステップと、
前記ＢＳスペクトラム拡散受信機で、前記１つの移動局から前記アップリンクチャネル使用の前記要求を受信するステップと、
前記要求されたアクセスを許可するかどうか判断するために、前記受信された要求を処理するステップと、
前記処理によってアクセス許可の判断がもたらされる場合、前記ＢＳスペクトラム拡散送信機から前記１つの移動局のためのチャネル要求許可メッセージを含むスペクトラム拡散信号を送信するステップであって、前記チャネル要求許可メッセージは、送信開始時間および送信の長さを指定する制御情報を含むステップと、
前記１つの移動局の前記ＭＳスペクトラム拡散受信機で、前記基地局から前記チャネル要求許可メッセージを受信するステップと、
前記指定された送信開始時間に、前記ＢＳスペクトラム拡散送信機から、ダウンリンクチャネルを介した前記許可されたアクセスに関する制御シグナリングを含むスペクトラム拡散信号の送信を開始するステップと、
前記１つの移動局の前記ＭＳスペクトラム拡散受信機で、制御シグナリングを含む前記スペクトラム拡散信号を受信するステップと、
前記指定された送信開始時間後の所定の時間に、前記受信された制御情報によるやり方で、前記アップリンクチャネルを介して前記１つの移動局の前記ＭＳスペクトラム拡散送信機から、パケットデータを含むスペクトラム拡散信号の送信を開始するステップと、
前記指定された送信の長さのパケットデータ送信が完了すると、前記移動局からの前記アップリンクチャネルを介したパケットデータを含む前記スペクトラム拡散信号の前記送信を中止するステップとを含むことを特徴とする請求項１または６に記載の方法。
【請求項１４】
前記アップリンクチャネルを介したパケットデータを含む前記スペクトラム拡散信号の前記送信が中止されるときに、前記アップリンク物理専用チャネルが直ぐに解放されることを特徴とする請求項１３に記載の方法。
【請求項１５】
前記チャネル要求許可メッセージはさらに、前記１つの移動局の前記ＭＳスペクトラム拡散送信機による使用のために割り当てられたアップリンク物理専用チャネルに関するハイブリッドＡＲＱ（自動再送要求）情報、アップリンク変調方式を識別するデータ、およびアップリンクチャネライゼーションコードのうちの少なくとも１つを含むことを特徴とする請求項１３に記載の方法。
【請求項１６】
前記チャネル要求許可メッセージを含む前記スペクトラム拡散信号の前記送信は、ダウンリンク下りアクセスチャネルを使用し、
前記ＢＳスペクトラム拡散送信機からの前記許可されたアクセスに関する制御シグナリングを含むスペクトラム拡散信号の送信は、ダウンリンクパケット共有チャネルを使用することを特徴とする請求項１３に記載の方法。
【請求項１７】
制御情報は、前記１つの移動局による前記アップリンク物理専用チャネル上での前記送信に関するハイブリッドＡＲＱ（自動再送要求）情報、アップリンク変調方式を識別するデータ、およびアップリンクチャネライゼーションコードのうちの少なくとも１つを含むことを特徴とする請求項１６に記載の方法。
【請求項１８】
前記１つの移動局の前記ＭＳスペクトラム拡散送信機から、形式情報を含むスペクトラム拡散信号を送信するステップをさらに含み、
前記形式情報を含む前記送信信号は、前記指定された開始時間と、前記指定された開始時間後の前記所定の時間との間に開始することを特徴とする請求項１３に記載の方法。
【請求項１９】
形式情報を含む前記スペクトラム拡散信号の前記送信は、アップリンクパケット制御チャネルを使用することを特徴とする請求項１８に記載の方法。
【請求項２０】
前記アップリンクチャネルは物理専用チャネルであることを特徴とする請求項１３に記載の方法。
【請求項２１】
前記アップリンクチャネルは共通パケットチャネルであることを特徴とする請求項１３に記載の方法。
【請求項２２】
前記アップリンクチャネル使用の前記要求は、前記１つの移動局のバッファ状態、または前記要求されたアクセスに望まれるサービスレベルの品質を指定する制御情報を含むことを特徴とする請求項１３に記載の方法。
【請求項２３】
スペクトラム拡散変調を使用する符号分割多重アクセス（ＣＤＭＡ）システム内で使用するための基地局（ＢＳ）であって、
変調されたスペクトラム拡散信号を移動局に送信し、そこから受信するためのＢＳスペクトラム拡散送受信機システムと、
前記ＢＳスペクトラム拡散送受信機システムに結合されており、ネットワークと前記ＢＳスペクトラム拡散送受信機システムの間でパケットデータを送受信し、前記基地局が動作において、
前記基地局で、１つの移動局から、アップリンクチャネルへのアクセスのためのデータチャネル初期化要求を受信し、
前記移動局に前記アップリンクチャネルへの前記要求されたアクセスを許可するかどうか判断し、
前記移動局に前記アップリンクチャネルへの前記要求されたアクセスを許可すると判断される場合、前記１つの移動局のために送信開始時間および送信の長さを指定する制御情報を含むチャネル要求許可メッセージを送信し、
前記指定された開始時間に、前記１つの移動局のために、前記要求されたアクセスに関する制御シグナリングの送信を開始し、
前記アップリンクチャネルを介して前記１つの移動局から、前記指定された送信の長さのパケットデータ送信を受信する動作シーケンス、
を実施するように前記基地局の無線通信動作をサポートして、前記ＢＳスペクトラム拡散送受信機システムの信号伝達を制御するための媒体アクセス制御インターフェースとを含むことを特徴とする基地局。
【請求項２４】
前記ＢＳスペクトラム拡散送受信機システムは、ベースバンドプロセッサを含むことを特徴とする請求項２３に記載の基地局。
【請求項２５】
前記ベースバンドプロセッサは、
スペクトラム拡散送信機と、
スペクトラム拡散受信機と、
前記スペクトラム拡散送信機の動作を制御するために、前記スペクトラム拡散受信機および前記媒体アクセス制御インターフェースからの信号に応答する制御装置とを含むことを特徴とする請求項２４に記載の基地局。
【請求項２６】
前記スペクトラム拡散送信機は、ダウンリンク下りアクセスチャネル上で前記チャネル要求許可メッセージを送信し、ダウンリンクパケット共有制御チャネル上で前記制御シグナリングを送信することを特徴とする請求項２５に記載の基地局。
【請求項２７】
スペクトラム拡散変調を使用する符号分割多重アクセス（ＣＤＭＡ）システム内で使用するための移動局（ＭＳ）であって、
変調されたスペクトラム拡散信号を移動局に送信し、そこから受信するためのＭＳスペクトラム拡散送受信機システムと、
前記ＭＳスペクトラム拡散送受信機システムに結合されており、前記ＭＳスペクトラム拡散送受信機システムを介して前記移動局のためのパケットデータを送受信し、前記移動局が動作において、
１つの移動局から前記基地局に、アップリンクチャネルへのアクセスのためのデータチャネル初期化要求を送信し、
前記１つの移動局で開始時間および送信の長さを指定する制御情報を含むチャネル要求許可メッセージを受信し、
前記指定された開始時間後に、前記１つの移動局で、前記要求されたアクセスに関する制御シグナリングを受信し、
前記アップリンクチャネルを介して前記１つの移動局から、前記制御シグナリングの最初の受信後のある時に開始する指定された送信の長さのパケットデータを送信する動作シーケンス、
を実施するようにサポートして、前記ＭＳスペクトラム拡散送受信機システムのシグナリング通信を制御するための媒体アクセス制御インターフェースとを含むことを特徴とする移動局。
【請求項２８】
前記移動局によって実施される前記動作は、前記制御シグナリングを受信した後、かつ前記アップリンクチャネルを介した前記パケットデータの前記送信を開始する前に、前記１つの移動局から前記パケットデータに関する形式情報を送信することをさらに含むことを特徴とする請求項２７に記載の移動局。
【請求項２９】
前記ＭＳスペクトラム拡散送受信機システムは、ベースバンドプロセッサを含むことを特徴とする請求項２７に記載の移動局。
【請求項３０】
前記ベースバンドプロセッサは、
スペクトラム拡散送信機と、
スペクトラム拡散受信機と、
前記スペクトラム拡散送信機の動作を制御するために、前記スペクトラム拡散受信機および前記媒体アクセス制御インターフェースからの信号に応答する制御装置とを含むことを特徴とする請求項２７に記載の移動局。
【請求項３１】
前記スペクトラム拡散送信機は、アップリンクパケット制御チャネルを介して前記チャネル要求メッセージを送信することを特徴とする請求項３０に記載の移動局。
【請求項３２】
前記スペクトラム拡散送信機は、前記アップリンクパケット制御チャネルを介して前記１つの移動局から前記基地局に前記パケットデータに関連する形式情報を送信することを特徴とする請求項３０に記載の移動局。